(57)【要約】【課題】着信情報の有無を利用者にわかり易く報知する受信装置及び受信プログラムを提供する。【解決手段】画像表示装置１２に対する利用者の相対位置を検知するユーザ位置検知部３６と、発光による報知を行う光報知部３８と、音声出力による報知を行う音声報知部４０と、所定の物質の放出又は画像表示装置１２の物理的な変形による報知を行う放出／変形アクチュエータ４２と、予め定められた関係からユーザ位置検知部３６による検知結果に基づいて、通信対象から情報の受信があった旨を報知する報知部として、光報知部３８、音声報知部４０、及び放出／変形アクチュエータ４２のうち少なくとも１つを選択する選択部に対応する報知部選択手段７０とを、備えたものであることから、画像表示装置１２に対する利用者の相対位置に応じて最適な報知形態を適宜選択することができる。【選択図】図７
2011135344.tif 000002
【特許請求の範囲】
【請求項１】
通信対象から所定の通信回線を介して伝送される情報を受信する受信装置であって、
画像を表示させる表示部と、
前記受信装置に対する利用者の相対位置を検知する検知部と、
発光による報知を行う第１の報知部と、
音声出力による報知を行う第２の報知部と、
所定の物質の放出又は前記受信装置の物理的な変形による報知を行う第３の報知部と、
予め定められた関係から前記検知部による検知結果に基づいて、前記通信対象から情報の受信があった旨を報知する報知部として、前記第１の報知部、第２の報知部、及び第３の報知部のうち少なくとも１つを選択する選択部と
を、備えたものであることを特徴とする受信装置。
【請求項２】
前記表示部は、その画面に対して利用者が視認可能な角度の範囲である表示視野角を有するものであり、
前記検知部は、前記表示部の表示視野角内における利用者の存在を検知するものであり、
前記選択部は、前記検知部により前記表示部の表示視野角内に利用者の存在が検知された場合には、前記第１の報知部及び第２の報知部の少なくとも一方を選択するものである請求項１に記載の受信装置。
【請求項３】
前記表示部は、その画面に対して利用者が視認可能な角度の範囲である表示視野角を有するものであり、
前記検知部は、前記表示部の表示視野角外における利用者の存在を検知するものであり、
前記選択部は、前記検知部により前記表示部の表示視野角外に利用者の存在が検知された場合には、前記第２の報知部を選択するものである請求項１又は２に記載の受信装置。
【請求項４】
前記選択部は、前記第２の報知部による報知が開始されてから所定時間が経過し且つ所定の操作が行われない場合には、該第２の報知部による報知を停止して前記第３の報知部による報知を開始するものである請求項１から３の何れか１項に記載の受信装置。
【請求項５】
前記選択部は、前記検知部により利用者の存在が検知されない場合には、前記第３の報知部を選択するものである請求項１から４の何れか１項に記載の受信装置。
【請求項６】
前記表示部は、その画面に対して利用者が視認可能な角度の範囲である表示視野角を有するものであり、
前記第３の報知部に係る前記受信装置の物理的な変形は、前記表示部の表示視野角外から視覚的に確認できるものである請求項１から５の何れか１項に記載の受信装置。
【請求項７】
前記第３の報知部に係る物質の放出は、利用者が視覚又は嗅覚により確認できるものである請求項１から６の何れか１項に記載の受信装置。
【請求項８】
前記第３の報知部による変形又は放出は、所定の操作により変形前又は放出前の状態に復元可能とされたものであり、該操作による復元が行われた場合には、該復元に係る報知に対応する情報を前記表示部に選択可能に表示させるアプリケーションを起動する起動部を備えたものである請求項１から７の何れか１項に記載の受信装置。
【請求項９】
通信対象から所定の通信回線を介して伝送される情報を受信する受信装置における制御装置を所定の制御手段として機能させる受信プログラムであって、
画像を表示させる表示部と、
前記受信装置に対する利用者の相対位置を検知する検知部と、
発光による報知を行う第１の報知部と、
音声出力による報知を行う第２の報知部と、
所定の物質の放出又は前記受信装置の物理的な変形による報知を行う第３の報知部と
を、備えた前記受信装置における制御装置を、
予め定められた関係から前記検知部による検知結果に基づいて、前記通信対象から情報の受信があった旨を報知する報知部として、前記第１の報知部、第２の報知部、及び第３の報知部のうち少なくとも１つを選択する選択手段として機能させることを特徴とする受信プログラム。
【発明の詳細な説明】
【技術分野】
【０００１】
本発明は、通信対象から所定の通信回線を介して伝送される情報を受信する受信装置及び受信プログラムに関し、特に、着信情報の有無を利用者にわかり易く報知するための改良に関する。
【背景技術】
【０００２】
通信対象から所定の通信回線を介して伝送される情報を受信する受信装置が知られている。例えば、インターネットを介して伝送される電子メールを受信する受信端末、公衆電話回線を介して伝送されるファックス情報を受信するファクシミリ装置、或いは公衆電話回線を介して伝送される音声情報を受信する電話機等がそれである。斯かる受信装置においては、利用者の不在時に情報の受信が行われる場合があり、そのような場合には一般的に不在時着信処理が行われる。この不在時着信処理に関して、不在着信があったことを利用者が簡便に確認できるようにする技術が提案されている。例えば、特許文献１に記載された情報処理端末装置がそれである。この技術によれば、不在着信があったことをＬＥＤの発光により報知することで、利用者が簡単に不在着信を確認できるとされている。
【先行技術文献】
【特許文献】
【０００３】
【特許文献１】特開２００９−２３２４０７号公報
【発明の概要】
【発明が解決しようとする課題】
【０００４】
しかし、前述した従来の技術のように、ＬＥＤ等の発光によって不在着信を報知するものでは、特に周囲が明るい場合等においてその発光を確認しづらいという不具合があった。また、他の不在着信の報知形態としては、利用者の接近時に音声出力によって知らせるものやディスプレイにその旨を表示させるもの等が考えられるが、音声による報知では利用者がセンサの検知範囲内に接近してくるまで報知できず、ディスプレイに表示させるものではそのディスプレイの表示視野角外からは確認できない等、何れも確実な報知を行い得るものではなかった。このため、着信情報の有無を利用者にわかり易く報知する受信装置及び受信プログラムの開発が求められていた。
【０００５】
本発明は、以上の事情を背景として為されたものであり、その目的とするところは、着信情報の有無を利用者にわかり易く報知する受信装置及び受信プログラムを提供することにある。
【課題を解決するための手段】
【０００６】
斯かる目的を達成するために、本第１発明の要旨とするところは、通信対象から所定の通信回線を介して伝送される情報を受信する受信装置であって、画像を表示させる表示部と、前記受信装置に対する利用者の相対位置を検知する検知部と、発光による報知を行う第１の報知部と、音声出力による報知を行う第２の報知部と、所定の物質の放出又は前記受信装置の物理的な変形による報知を行う第３の報知部と、予め定められた関係から前記検知部による検知結果に基づいて、前記通信対象から情報の受信があった旨を報知する報知部として、前記第１の報知部、第２の報知部、及び第３の報知部のうち少なくとも１つを選択する選択部とを、備えたことを特徴とするものである。
【０００７】
また、前記目的を達成するために、本第２発明の要旨とするところは、通信対象から所定の通信回線を介して伝送される情報を受信する受信装置における制御装置を所定の制御手段として機能させる受信プログラムであって、画像を表示させる表示部と、前記受信装置に対する利用者の相対位置を検知する検知部と、発光による報知を行う第１の報知部と、音声出力による報知を行う第２の報知部と、所定の物質の放出又は前記受信装置の物理的な変形による報知を行う第３の報知部とを、備えた前記受信装置における制御装置を、予め定められた関係から前記検知部による検知結果に基づいて、前記通信対象から情報の受信があった旨を報知する報知部として、前記第１の報知部、第２の報知部、及び第３の報知部のうち少なくとも１つを選択する選択手段として機能させることを特徴とするものである。
【発明の効果】
【０００８】
このように、前記第１発明によれば、画像を表示させる表示部と、前記受信装置に対する利用者の相対位置を検知する検知部と、発光による報知を行う第１の報知部と、音声出力による報知を行う第２の報知部と、所定の物質の放出又は前記受信装置の物理的な変形による報知を行う第３の報知部と、予め定められた関係から前記検知部による検知結果に基づいて、前記通信対象から情報の受信があった旨を報知する報知部として、前記第１の報知部、第２の報知部、及び第３の報知部のうち少なくとも１つを選択する選択部とを、備えたものであることから、前記受信装置に対する利用者の相対位置に応じて最適な報知形態を適宜選択することができる。すなわち、着信情報の有無を利用者にわかり易く報知する受信装置を提供することができる。
【０００９】
ここで、前記第１発明において、好適には、前記表示部は、その画面に対して利用者が視認可能な角度の範囲である表示視野角を有するものであり、前記検知部は、前記表示部の表示視野角内における利用者の存在を検知するものであり、前記選択部は、前記検知部により前記表示部の表示視野角内に利用者の存在が検知された場合には、前記第１の報知部及び第２の報知部の少なくとも一方を選択するものである。このようにすれば、前記表示部の表示視野角内に利用者が存在する場合に、発光又は音声出力により着信情報の有無をわかり易く報知することができる。
【００１０】
また、好適には、前記表示部は、その画面に対して利用者が視認可能な角度の範囲である表示視野角を有するものであり、前記検知部は、前記表示部の表示視野角外における利用者の存在を検知するものであり、前記選択部は、前記検知部により前記表示部の表示視野角外に利用者の存在が検知された場合には、前記第２の報知部を選択するものである。このようにすれば、前記表示部の表示視野角外に利用者が存在する場合に、音声出力により着信情報の有無をわかり易く報知することができる。
【００１１】
また、好適には、前記選択部は、前記第２の報知部による報知が開始されてから所定時間が経過し且つ所定の操作が行われない場合には、その第２の報知部による報知を停止して前記第３の報知部による報知を開始するものである。このようにすれば、音声出力による報知が無駄に継続されるのを抑制して、報知が行われたことを後に確認できる報知形態に切り替えることができる。
【００１２】
また、好適には、前記選択部は、前記検知部により利用者の存在が検知されない場合には、前記第３の報知部を選択するものである。このようにすれば、報知が行われたことを後に確認できる報知形態である物質の放出又は物理的な変形を選択することで、利用者の不在時に無駄な報知が継続されるのを抑制することができる。
【００１３】
また、好適には、前記表示部は、その画面に対して利用者が視認可能な角度の範囲である表示視野角を有するものであり、前記第３の報知部に係る前記受信装置の物理的な変形は、前記表示部の表示視野角外から視覚的に確認できるものである。このようにすれば、前記表示部における表示では視認できない範囲からも着信情報の有無を確認することができる。
【００１４】
また、好適には、前記第３の報知部に係る物質の放出は、利用者が視覚又は嗅覚により確認できるものである。このようにすれば、前記受信装置から所定の物体が飛び出したり、匂いが出る等の直感的にわかり易い態様で着信情報の有無を報知することができる。
【００１５】
また、好適には、前記第３の報知部による変形又は放出は、所定の操作により変形前又は放出前の状態に復元可能とされたものであり、その操作による復元が行われた場合には、その復元に係る報知に対応する情報を前記表示部に選択可能に表示させるアプリケーションを起動する起動部を備えたものである。このようにすれば、物質の放出又は物理的な変形が復元された場合に、その報知に係る情報を自動的に閲覧可能に表示させることができる。
【００１６】
また、前記第２発明によれば、画像を表示させる表示部と、前記受信装置に対する利用者の相対位置を検知する検知部と、発光による報知を行う第１の報知部と、音声出力による報知を行う第２の報知部と、所定の物質の放出又は前記受信装置の物理的な変形による報知を行う第３の報知部とを、備えた前記受信装置における制御装置を、予め定められた関係から前記検知部による検知結果に基づいて、前記通信対象から情報の受信があった旨を報知する報知部として、前記第１の報知部、第２の報知部、及び第３の報知部のうち少なくとも１つを選択する選択手段として機能させるものであることから、前記受信装置に対する利用者の相対位置に応じて最適な報知形態を適宜選択することができる。すなわち、着信情報の有無を利用者にわかり易く報知する受信プログラムを提供することができる。
【図面の簡単な説明】
【００１７】
【図１】本発明の受信装置が好適に適用される通信システムの構成を例示する図である。
【図２】本発明の受信装置の一実施例である画像表示装置の構成の一例を説明するブロック線図である。
【図３】図２の画像表示装置をタッチパネルディスプレイの画面に向かう方向に視た正面図である。
【図４】図２の画像表示装置をタッチパネルディスプレイの裏側から視た背面図である。
【図５】図３に示す画像表示装置の正面図においてフラッグが立った状態を示す図である。
【図６】図４に示す画像表示装置の背面図においてフラッグが立った状態を示す図である。
【図７】図２の画像表示装置の制御部に備えられた制御機能の要部を説明する機能ブロック線図である。
【図８】図２の画像表示装置に備えられた表示装置の表示視野角の一例を示しており、平面視におけるその表示視野角を破線で示している。
【図９】図２の画像表示装置に備えられた制御部による情報受信制御の要部を説明するフローチャートの一部である。
【図１０】図２の画像表示装置に備えられた制御部による情報受信制御の要部を説明するフローチャートの一部である。
【図１１】図２の画像表示装置に備えられた制御部による情報受信制御の要部を説明するフローチャートの一部である。
【発明を実施するための形態】
【００１８】
以下、本発明の好適な実施例を図面に基づいて詳細に説明する。
【実施例】
【００１９】
図１は、本発明が好適に適用される通信システム１０の構成を例示する図である。この図１に示すように、斯かる通信システム１０においては、本発明の受信装置の一実施例である複数（図１では２つ）の画像表示装置１２、１２′、複数（図１では２つ）の電話機１４、１４′、複数（図１では２つ）のファクシミリ装置１６、１６′、及び複数（図１では２つ）のパーソナルコンピュータ１８、１８′等の通信装置が、所定の通信回線２０を介して相互に接続されている。この通信回線２０は、例えば、電話やファクシミリ通信に用いられる広域的な公衆電話回線であり、上記各種通信装置は斯かる通信回線２０を介して通信対象となる他の通信装置との間で情報の通信が可能とされている。
【００２０】
本実施例の画像表示装置１２は、上記通信回線２０を介して他の画像表示装置１２′との間で情報の通信を行うものであると共に、その通信回線２０を介して上記電話機１４、ファクシミリ装置１６、及びパーソナルコンピュータ１８等の他の機器との間でも情報の通信が可能とされている。ここで、上記他の画像表示装置１２′は、後述する図２等に示す構成を備えた本実施例の画像表示装置であって上記画像表示装置１２とは別体の装置である。また、上記電話機１４′、ファクシミリ装置１６′、パーソナルコンピュータ１８′は、同様に上記電話機１４、ファクシミリ装置１６、パーソナルコンピュータ１８と等価な構成を備えたものであって、それらとは別体の装置である。本発明は、上述のような通信回線２０を介して伝送される情報を受信する受信装置に好適に適用されるものであり、上記電話機１４、ファクシミリ装置１６、或いはパーソナルコンピュータ１８等に適用されるものであってもよいが、以下の実施例においては上記画像表示装置１２に本発明が適用された通信システム１０について説明する。
【００２１】
図２は、前記画像表示装置１２の構成の一例を説明するブロック線図である。この図２に示すように、前記画像表示装置１２は、所定の画像（映像）を表示させると共に、利用者の接触操作に応じて入力を行うためのタッチパネルディスプレイ２２と、前記画像表示装置１２による画像表示制御をはじめとする各種制御を実行する制御部２４と、読出専用メモリであるＲＯＭ２６と、随時書込読出メモリであるＲＡＭ２８と、前記通信回線２０を介して前記他の画像表示装置１２′等との間で情報の通信を行うための通信インターフェイス３０と、マイクロフォン及びスピーカ等を備え、上記通信インターフェイス３０乃至通信回線２０を介して前記他の画像表示装置１２や電話機１４等との間で通話（電話通信）を行うための通話部３２と、その通話部３２により入力される音声情報を録音する録音部３４と、ユーザ位置検知部３６と、光報知部３８と、音声報知部４０と、放出／変形アクチュエータ４２と、復元検知部４４と、アドレスデータベース４６と、画像データベース４８と、録音データベース５０と、テキストデータベース５２とを、備えて構成されている。
【００２２】
図２に示すように、上記タッチパネルディスプレイ２２は、そのタッチパネルディスプレイ２２に所定の映像を表示させる表示部（ディスプレイ）としての表示装置５４と、利用者の指や図示しない備え付けのペン等による上記タッチパネルディスプレイ２２への接触により入力を行うタッチパネル５６とを、備えて構成されている。また、上記表示装置５４による画像（映像）の表示制御を行う表示制御部５８と、上記タッチパネル５６により入力される入力情報を処理する入力制御部６０とが備えられており、それら表示制御部５８及び入力制御部６０により上記表示装置５４及びタッチパネル５６を介して上記タッチパネルディスプレイ２２による画像表示制御乃至情報入力制御が実行される。
【００２３】
上記表示装置５４としては、液晶ディスプレイや有機ＥＬディスプレイ等のフラットパネルディスプレイが好適に用いられる。そのようなフラットパネルディスプレイは、その画面に対して利用者が視認可能（目視可能）な角度の範囲である表示視野角を有するものであり、一般的な液晶ディスプレイにおいては画面中央にその中心角θを定めた場合にθ＝８０〜１６０°（左右±４０〜８０°）程度である。図８は、上記表示装置５４の表示視野角の一例を示しており、平面視におけるその表示視野角を破線で示している。すなわち、この図８において、破線、一点鎖線、及び二点鎖線でそれぞれ囲繞された領域Ａ〜Ｄのうち、領域Ａ及びＣが上記表示装置５４の表示視野角範囲内に相当する一方、領域Ｂ及びＤは視野角範囲外に相当する。
【００２４】
前記制御部２４は、前記ＲＡＭ２８の一時記憶機能を利用しつつ前記ＲＯＭ２６に記憶された情報に基づいて中央演算処理装置であるＣＰＵにより種々の情報処理を実行する所謂マイクロコンピュータであり、上記表示制御部５８を介して前記タッチパネルディスプレイ２２（表示装置５４）に所定の画像を表示させる画像表示制御、そのタッチパネルディスプレイ２２（タッチパネル５６）への接触操作に応じて上記入力制御部６０を介して入力される入力信号を処理する入力処理制御、及び前記通信インターフェイス３０乃至通信回線２０を介しての前記他の画像表示装置１２′等との間の通信制御等、本実施例の画像表示装置１２に関する各種制御を実行する。
【００２５】
前記通話部３２は、前記通信インターフェイス３０乃至通信回線２０を介しての前記他の画像表示装置１２′等との間の通話（電話通信）に際して、マイクロフォンにより音声（音波）に対応する機械的な振動を電気信号（音声情報）に変換して通信対象へ送信すると共に、その通信対象から送られてくる音声情報（電気信号）に対応する音声を機械的な振動として出力させる制御を行う。また、前記録音部３４は、前記通話部３２による他の画像表示装置１２′等との間の通話に際して、マイクロフォンにより入力される音声情報を録音して前記ＲＡＭ２８等に記憶する装置であり、前記制御部２４に機能的に備えられたものであってもよい。
【００２６】
前記ユーザ位置検知部３６は、前記画像表示装置１２に対する利用者の相対位置を検知する焦電センサ、赤外線センサ、或いはレーダ等である。このユーザ位置検知部３６は、好適には、前記タッチパネルディスプレイ２２の表示装置５４の表示視野角に対応して、その表示視野角内外における利用者の存在を検知するものである。すなわち、好適には、（ａ）前記表示装置５４の表示視野角内に利用者が存在するか否かを検知するセンサ、及び（ｂ）前記表示装置５４の表示視野角外に利用者が存在するか否かを検知するセンサをそれぞれ個別に備えている。なお、レーダのように電波により上記表示視野角内外における利用者の存在を検知し得る構成を用いる場合には単一の検知部であってもよい。
【００２７】
図８においては、前記ユーザ位置検知部３６による検知範囲を一点鎖線で示している。すなわち、図８に示す一点鎖線範囲内である領域Ａ及びＢに利用者が存在する場合に、前記ユーザ位置検知部３６はその利用者の存在を検知する。また、上述のように、前記ユーザ位置検知部３６による検知範囲内であり且つ前記表示装置５４の表示視野角内である領域Ａに利用者が存在するか否か、及び前記ユーザ位置検知部３６による検知範囲内であり且つ前記表示装置５４の表示視野角外である領域Ｂに利用者が存在するか否かを、それぞれ個別に検知することができるように構成されている。
【００２８】
前記光報知部３８は、例えば発光ダイオード（light emitting diode：ＬＥＤ）や小型電球等の発光素子であり、前記制御部２４の制御により利用者に視認（視覚的に確認）可能な光を発生させる。すなわち、発光による報知を行う第１の報知部として機能する。また、前記音声報知部４０は、前記制御部２４の制御により所定の音声を発生させる音源等の音声発生装置である。すなわち、音声による報知を行う第２の報知部として機能する。また、前記放出／変形アクチュエータ４２は、前記制御部２４の制御により後述するフラッグ６２（図３〜図６等を参照）を立てる等、機械的な駆動を行う装置である。すなわち、所定の物質の放出又は前記画像表示装置１２の物理的な変形による報知を行う第３の報知部として機能する。なお、図８に一点鎖線で示す範囲は、前記ユーザ位置検知部３６による検知可能範囲を示すと共に、前記光報知部３８による報知は必ずしも視認しやすいものではないが、前記音声報知部４０により出力される音声が利用者に聴覚的に認識されやすい距離を示している。
【００２９】
ここで、上記第３の報知部の報知形態すなわち前記放出／変形アクチュエータ４２による駆動対象としては、種々の機械的な構成が考えられる。例えば、所定の香りを有する香水等の物質を封入した箱の蓋を開けることによりその物質を大気中に放出する駆動、前記画像表示装置１２に内蔵されたボールをその画像表示装置１２外へ飛び出させる駆動、前記画像表示装置１２の一部をホップアップさせたり筐体を伸長させる等の駆動、及びヘリウム等の気体を詰めたバルーンを上げる駆動等が好適に適用される。すなわち、上記第３の報知部に係る物質の放出は、利用者が視覚又は嗅覚により確認できるものである。なお、以下の実施例においては、これら種々の構成のうち代表して前記放出／変形アクチュエータ４２によりフラッグ６２を立てる構成を上記第３の報知部の報知形態として説明する。
【００３０】
図３は、前記画像表示装置１２を前記タッチパネルディスプレイ２２の画面に向かう方向に視た正面図である。また、図４は、前記画像表示装置１２を前記タッチパネルディスプレイ２２の裏側から視た背面図である。図３に示すように、前記画像表示装置１２には、前記タッチパネルディスプレイ２２が設けられた側の平面部（前面部）に、前記通話部３２のマイクロフォン３２ｍ、前記ユーザ位置検知部３６のうち前記表示装置５４の表示視野角内に利用者が存在するか否かを検知する前面側センサ３６ａ、前記光報知部３８の発光窓３８ｗ、及び後述する復元ボタン６４等が備えられている。また、図４に示すように、前記画像表示装置１２には、前記タッチパネルディスプレイ２２が設けられた側とは反対側の平面部（背面部）に、前記ユーザ位置検知部３６のうち前記表示装置５４の表示視野角外に利用者が存在するか否かを検知する背面側センサ３６ｂ、前記音声報知部４０のスピーカ４０ｓ、及び前記放出／変形アクチュエータ４２により駆動されるフラッグ６２等が備えられている。
【００３１】
前記フラッグ６２は、前記放出／変形アクチュエータ４２の駆動により前記画像表示装置１２の頂部（上部）に立てられるように構成されている。すなわち、前記放出／変形アクチュエータ４２は、前記フラッグ６２の軸部（旗竿）を約１８０°回動させる機構であり、前記制御部２４による制御に応じて図４に示す状態から前記フラッグ６２を回動させることにより、図５乃至図６に示すようにそのフラッグ６２が前記画像表示装置１２の頂部に立てられる。これら図５及び図６に示すように、斯かる画像表示装置１２の頂部に立てられたフラッグ６２は、その画像表示装置１２の前面側及び背面側の両側から視認可能である。すなわち、第３の報知部としての前記放出／変形アクチュエータ４２による前記画像表示装置１２の物理的な変形は、前記タッチパネルディスプレイ２２（表示装置５４）の表示視野角外からも視覚的に確認できるものである。
【００３２】
ここで、前記放出／変形アクチュエータ４２による前記フラッグ６２の駆動は、前記復元ボタン６４を押下する操作により駆動前の状態に復元可能とされたものである。すなわち、図５乃至図６に示すように前記フラッグ６２が立てられた状態において前記復元ボタン６４が押下されることにより、前記放出／変形アクチュエータ４２により前記フラッグ６２が逆方向に回動され、再び図３乃至図４に示すように下げられた状態となる。前記復元検知部４４は、斯かる復元動作を検出する。すなわち、前記復元検知部４４は、前記放出／変形アクチュエータ４２の駆動による第３の報知に係る変形が、利用者による所定の操作により変形前の状態に復元されたか否かを検知するエンコーダである。
【００３３】
前記アドレスデータベース４６には、前記画像表示装置１２による前記通信回線１４を介しての他の機器例えば前記他の画像表示装置１２′や電話機１４、ファクシミリ装置１６等との間の電話通信に係る通信対象毎に、その通信対象の名前（氏名）及び識別情報（電話番号、ファクシミリ番号、或いはメールアドレス）等が記憶されている。前記画像表示装置１２による他の機器との通話制御において、自機から他の機器へ電話をかける際には、このアドレスデータベース４６に記憶された通信対象の電話番号等の情報を読み出すことにより、その電話番号を入力する手間無しにその通話対象に電話をかけることができる。
【００３４】
前記画像データベース４８には、前記表示制御部５８を介して前記タッチパネルディスプレイ２２（表示装置５４）に所定の画像を表示させるための画像情報として、例えばＪＰＥＧ（Joint Photographic Experts Group）、ＰＮＧ（Portable network graphics）、ＧＩＦ（Graphics interchange format）等のファイル形式の画像データ（画像ファイル）が、それぞれの識別情報をインデックスとして記憶されている。なお、前記表示装置５４は、静止画像のみならず動画を表示させるものであってもよく、前記画像データベース４８に記憶される画像情報は、静止画に対応するものであると動画に対応するものであるとを問わない。また、前記画像データベース４８の記憶内容は、例えば前記パーソナルコンピュータ１８等から通信回線２０を介して複数の画像情報がダウンロードされることや、その通信回線２０を介して前記他の画像表示装置１２′から複数の画像情報が受信されること等により更新され、新たな画像情報が蓄積されるものである。
【００３５】
前記音声データベース５０には、前記通話部３２のスピーカ等から所定の音声を出力させるための音声情報として、例えばＭＰ３（MPEG audio layer 3）、ＡＡＣ（advanced audio coding）、ＷＡＶ等のファイル形式の音声データ（音声ファイル）が、それぞれの識別情報をインデックスとして記憶されている。この音声データベース５０に記憶される音声情報は、例えば前記録音部３４により録音される他の機器との間の通話に係る音声情報であり、例えば、所定の通信対象から前記画像表示装置１２への着信・着呼があったにもかかわらず受信操作が行われなかった場合において、前記録音部３４により自動的に所謂留守番電話の録音が行われ、録音された音声情報が通信対象の識別情報（例えば、電話番号）と関連付けられて前記音声データベース５０に記憶される。
【００３６】
前記テキストデータベース５２には、例えば他の画像表示装置１２′やパーソナルコンピュータ１８等の通信対象から前記通信回線２０を介して受信された電子メールに係るテキスト情報が、その通信対象の識別情報（例えば、メールアドレス）と関連付けられて記憶されている。すなわち、前記テキストデータベース５２は、前記通信回線２０を介して他の機器との間で電子メールの送受信を行うアプリケーション（所謂メーラ）における受信メールデータベースに相当する。
【００３７】
図７は、前記画像表示装置１２の制御部２４に備えられた制御機能の要部を説明する機能ブロック線図である。この図７に示す情報受信手段６６は、通信対象から前記通信回線２０を介して伝送される情報を受信する受信処理を行う。すなわち、所定の通信対象から前記通信回線２０を介して電話、ファクシミリ情報、或いは電子メール等の情報が伝送されてきた場合、先ず、その着信乃至受信があった旨を前記光報知部３８や音声報知部４０等により報知（着信報知）する。この報知に応じて利用者により所定の操作（例えば、通話開始操作等）が行われた場合には、前記通話部３２による通話処理等の他の処理が実行される。一方、所定の通信対象からの情報の着信乃至受信がありながら利用者により所定の操作が行われなかった場合には、前記情報受信手段６６は、その情報の記憶処理を実行する。すなわち、受信された情報が画像情報である場合には、その画像情報を通信対象の識別情報と関連付けて前記画像データベース４８に記憶する。また、受信された情報が音声情報である場合には、前記録音部３４によりその音声情報の録音が行われ、録音されたその音声情報を通信対象の識別情報と関連付けて前記録音データベース５０に記憶する。また、受信された情報が電子メールである場合には、その電子メールを通信対象の識別情報と関連付けて前記テキストデータベース５２に記憶する。
【００３８】
図７に示す情報受信有無判定手段６８は、上記情報受信手段６６による情報の受信があったか否かを判定する。すなわち、所定の通信対象から前記通信回線２０を介して電話、ファクシミリ情報、或いは電子メール等の情報の伝送があり、上記情報受信手段６６によりその情報が受信されたか否かを判定する。なお、この情報受信有無判定手段６８による判定タイミングとしては、通信対象からの着信・着呼があった時点で判定を行うのが好ましいが、その通信対象からの情報が前記画像データベース４８、録音データベース５０、及びテキストデータベース５２に記憶された時点で、その記憶動作に基づいて判定を行うものであってもよい。
【００３９】
図７に示す報知部選択手段７０は、上記情報受信有無判定手段６８による判定が肯定される場合に、予め定められた関係から前記ユーザ位置検知部３６による検知結果に基づいて、所定の通信対象から情報の受信があった旨を報知する報知部として、前記光報知部３８、前記音声報知部４０、及び前記放出／変形アクチュエータ４２のうち少なくとも１つを選択する。すなわち、予め定められた関係から前記ユーザ位置検知部３６による検知結果に基づいて、前記通信対象から情報の受信があった旨を報知する報知部として、前記第１の報知部、第２の報知部、及び第３の報知部のうち少なくとも１つを選択する選択部に対応する。
【００４０】
上記報知部選択手段７０により報知部の選択が行われた場合、その選択された報知部により前記通信対象からの情報の受信があった旨の報知が実行される。すなわち、第１の報知部としての前記光報知部３８が選択された場合には、その光報知部３８から所定パターン（例えば、一定時間毎の点滅）の発光による報知が実行される。また、第２の報知部としての前記音声報知部４０が選択された場合には、その音声報知部４０から所定の発信音（例えば、ピピッ、ピピッ、・・・と断続する音）による報知が実行される。また、第３の報知部としての前記放出／変形アクチュエータ４２が選択された場合には、その放出／変形アクチュエータ４２により前記フラッグ６２が駆動されてそのフラッグ６２が前記画像表示装置１２の頂部に立てられる等の報知が実行される。
【００４１】
また、前記報知部選択手段７０は、好適には、前記ユーザ位置検知部３６により前記表示装置５４の表示視野角内（図８に示す領域Ａ内）に利用者の存在が検知された場合には、前記光報知部３８及び音声報知部４０の少なくとも一方を選択する。すなわち、前記光報知部３８を介しての発光による報知及び前記音声報知部４０を介しての音声出力による報知の一方又は両方を実行する。利用者が前記ユーザ位置検知部３６の検知範囲内であり且つ前記表示装置５４の表示視野角内すなわち図８に示す領域Ａ内に存在する場合には、図３等に示すように前記画像表示装置１２の前面側に設けられた光報知部３８の発光窓３８ｗからの発光を視認でき、また、前記音声報知部４０により出力される音声を聴覚的に確認することができる。従って、前記光報知部３８及び音声報知部４０の少なくとも一方により報知を行うことで、利用者に所定の通信対象からの情報の受信があった旨を好適に報知することができる。
【００４２】
また、前記報知部選択手段７０は、好適には、前記ユーザ位置検知部３６により前記表示装置５４の表示視野角外（図８に示す領域Ｂ内）に利用者の存在が検知された場合には、前記音声報知部４０を選択する。すなわち、前記音声報知部４０を介しての音声出力による報知を実行する。利用者が前記ユーザ位置検知部３６の検知範囲内であり且つ前記表示装置５４の表示視野角外すなわち図８に示す領域Ｂ内に存在する場合には、図３等に示すように前記画像表示装置１２の前面側に設けられた光報知部３８の発光窓３８ｗからの発光は視認できないが、前記音声報知部４０により出力される音声を聴覚的に確認することができる。従って、前記音声報知部４０により報知を行うことで、利用者に所定の通信対象からの情報の受信があった旨を好適に報知することができる。
【００４３】
また、前記報知部選択手段７０は、好適には、前記音声報知部４０による報知が開始されてから所定時間が経過し且つ所定の操作が行われない場合には、その音声報知部４０による報知を停止して前記放出／変形アクチュエータ４２による報知を開始する。前記ユーザ位置検知部３６の検知範囲内に利用者の存在が検知された後、前記音声報知部４０からの音声出力が開始されて所定時間が経過しても受信情報の表示操作等が行われない場合には、いったんは前記ユーザ位置検知部３６の検知範囲内に入りながら前記音声報知部４０からの音声に気づかず、また検知範囲外へ出て行ってしまったことが考えられる。そのような場合に前記音声報知部４０からの音声出力を継続すると、電力が無駄に消費されることに加え周囲への迷惑になる等の弊害がある。従って、そのような場合には前記音声報知部４０による報知を停止し、前記放出／変形アクチュエータ４２による報知に切り替えることで、上記弊害を好適に抑制することができる。
【００４４】
また、前記報知部選択手段７０は、好適には、前記ユーザ位置検知部３６により利用者の存在が検知されない場合には、前記放出／変形アクチュエータ４２を選択する。すなわち、前記放出／変形アクチュエータ４２により前記フラッグ６２を前記画像表示装置１２の頂部に立てる等の変形や、香水等の物質を封入した箱の蓋を開けることによりその物質の大気中への放出等を実行する。図３乃至図６を用いて前述したように、前記放出／変形アクチュエータ４２により前記フラッグ６２が前記画像表示装置１２の頂部に立てられた場合、前記復元ボタン６４が押下されるまでそのフラッグ６２は立てられたままの状態とされる。また、上述のように香水等の物質が放出された場合、その匂いは部屋の中にこもったままの状態となる。すなわち、第３の報知部としての前記放出／変形アクチュエータ４２による放出又は変形は、所定の復元操作が行われるまではその放出後乃至変化後の状態が維持されるものである。従って、利用者が留守の場合等、前記ユーザ位置検知部３６によりその利用者の存在が検知されない場合には、前記放出／変形アクチュエータ４２による報知を行うことで、その場にいない利用者が事後的に確認できるように、所定の通信対象からの情報の受信があった旨を好適に報知することができる。
【００４５】
図７に示す受信情報表示手段７２は、前記復元検知部４４により前記放出／変形アクチュエータ４２による放出又は変形の復元が判定された場合には、その復元に係る報知に対応する情報を前記表示装置５４に、例えば前記タッチパネル５６による選択可能に表示させるアプリケーションを起動する。このアプリケーションは、例えば、前記通信回線２０を介して他の機器との間で電子メールの送受信を行うアプリケーション（所謂メーラ）に相当するものであり、上記受信情報表示手段７２は、前記復元検知部４４により前記放出／変形アクチュエータ４２による放出又は変形の復元が判定された場合には、その復元に係る報知に対応する電子メールを選択可能に表示させる受信メール閲覧（選択）画面を前記表示装置５４に表示させる。また、受信された情報が画像情報である場合には、その画像情報を選択可能に表示させる受信画像閲覧（選択）画面を前記表示装置５４に表示させる。また、受信された情報が例えば留守録等の音声情報である場合には、その音声情報を選択可能に表示させる受信音声再生（選択）画面を前記表示装置５４に表示させる。また、前記復元に係る報知に対応する画像情報、音声情報、或いは電子メールを前記画像データベース４８、録音データベース５０、乃至テキストデータベース５２から読み出し、送信元である通信対象の識別情報と併せて前記表示装置５４に個別に表示させるものであってもよい。すなわち、上記受信情報表示手段７２は、前記復元ボタン６４を押下する等の利用者の所定操作により前記放出／変形アクチュエータ４２による放出又は変形の復元が行われた場合には、その復元に係る報知に対応する情報を選択可能に前記表示装置５４に表示させるアプリケーションを起動する起動部に対応する。
【００４６】
図９乃至図１１は、前記画像表示装置１２の制御部２４による情報受信制御の要部を説明するフローチャートであり、所定の周期で繰り返し実行されるものである。
【００４７】
先ず、図９に示すステップ（以下、ステップを省略する）Ｓ１において、前記通信回線２０を介しての情報の伝送に係る着信乃至受信待ち動作である着信／受信待機が行われる。次に、Ｓ２において、所定の通信対象からの着信乃至受信があったか否かが判断される。このＳ２の判断が否定される場合には、Ｓ１以下の処理が再び実行されるが、Ｓ２の判断が肯定される場合には、Ｓ３において、前記光報知部３８及び音声報知部４０の一方又は両方による着信報知が行われる。なお、この着信報知は、後述するＳ１０、Ｓ１１等における報知とは異なる発光パターン乃至発信音に相当するものであることが望ましいが、同様の報知が行われるものであってもよい。次に、Ｓ４において、前記タッチパネル５６等を介して利用者により所定の操作（例えば、通話開始操作等）が行われたか否かが判断される。このＳ４の判断が肯定される場合には、図１１に示すＳ１７以下の処理が実行されるが、Ｓ４の判断が否定される場合には、Ｓ５において、通信対象（情報の送信元）の側から回線が切断されたか、又は情報の受信後一定時間が経過したか否かが判断される。このＳ５の判断が否定される場合には、Ｓ３以下の処理が再び実行されるが、Ｓ５の判断が肯定される場合には、Ｓ６において、前記光報知部３８及び音声報知部４０による報知が停止させられた後、図１０に示すＳ７以下の処理が実行される。
【００４８】
図１０に示すＳ７においては、所定の通信対象から新たな着信乃至受信があったか否かが判断される。このＳ７の判断が否定される場合には、図９に示すＳ３以下の処理が再び実行されるが、Ｓ７の判断が肯定される場合には、Ｓ８において、前記ユーザ位置検知部３６により利用者の存在乃至接近が検知されたか否かが判断される。このＳ８の判断が否定される場合には、Ｓ１４以下の処理が実行されるが、Ｓ８の判断が肯定される場合には、Ｓ９において、前記表示装置５４の表示視野角内に利用者の存在が検知されたか否かが判断される。このＳ９の判断が肯定される場合には、Ｓ１０において、前記光報知部３８及び音声報知部４０の一方又は両方による報知、更に好適には前記表示装置５４による報知が行われた後、Ｓ１２以下の処理が実行されるが、Ｓ９の判断が否定される場合には、Ｓ１１において、前記音声報知部４０による報知が行われた後、Ｓ１２において、前記タッチパネル５６等を介して利用者により所定の操作（例えば、受信情報の再生操作等）が行われたか否かが判断される。このＳ１２の判断が肯定される場合には、図１１に示すＳ１７以下の処理が実行されるが、Ｓ１２の判断が否定される場合には、Ｓ１３において、Ｓ１０乃至Ｓ１１における報知開始から一定時間が経過したか否かが判断される。このＳ１３の判断が否定される場合には、Ｓ７以下の処理が再び実行されるが、Ｓ１３の判断が肯定される場合には、Ｓ１４において、前記光報知部３８及び音声報知部４０による報知が停止させられた後、Ｓ１５において、前記放出／変形アクチュエータ４２による放出又は変形済みであるか否か、すなわち復元操作が行われていないか否かが判断される。このＳ１５の判断が肯定される場合には、Ｓ７以下の処理が再び実行されるが、Ｓ１５の判断が否定される場合には、Ｓ１６において、前記放出／変形アクチュエータ４２を介しての放出又は変形による報知が行われた後、Ｓ７以下の処理が再び実行される。
【００４９】
図１１に示すＳ１７においては、前記光報知部３８及び音声報知部４０による報知が停止させられる。次に、Ｓ１８において、前記タッチパネル５６による所定の操作乃至図示しない所定のキー操作が行われたか否かが判断される。このＳ１８の判断が肯定される場合には、Ｓ１９において、前記タッチパネル５６を介して利用者により所定のメッセージ再生操作が行われたか否かが判断される。このＳ１９の判断が否定される場合には、Ｓ２５以下の処理が実行されるが、Ｓ１９の判断が肯定される場合には、Ｓ２０において、受信された情報が前記画像データベース４８、録音データベース５０、乃至テキストデータベース５２から読み出され、その情報に係る画像、音声、乃至テキスト等が再生された後、Ｓ２５以下の処理が実行される。Ｓ１８の判断が否定される場合には、Ｓ２１において、前記復元ボタン６４が押下される等して前記放出／変形アクチュエータ４２による放出乃至変形の復元操作が行われたか否かが判断される。このＳ２１の判断が否定される場合には、Ｓ２５以下の処理が実行されるが、Ｓ２１の判断が肯定される場合には、Ｓ２２において、所定の通信対象から受信されながら未だ確認（再生）されていない未確認メッセージがあるか否かが判断される。このＳ２２の判断が否定される場合には、Ｓ２５以下の処理が実行されるが、Ｓ２２の判断が肯定される場合には、Ｓ２３において、所定の通信対象から受信されながら未だ確認（再生）されていない未確認メッセージが一件であるか否かが判断される。このＳ２３の判断が肯定される場合には、Ｓ２０以下の処理が実行されるが、Ｓ２３の判断が否定される場合には、Ｓ２４において、前記表示装置５４に複数の再生メッセージ（未確認メッセージ）を選択可能とする再生メッセージ選択画面が表示された後、Ｓ２５において、一定時間前記タッチパネル５６等を介しての入力操作が行われなかったか否かが判断される。このＳ２５の判断が否定される場合には、Ｓ１９以下の処理が再び実行されるが、Ｓ２５の判断が肯定される場合には、Ｓ２６において、所定の通信対象から受信されながら未だ確認（再生）されていない未確認メッセージがあるか否かが判断される。このＳ２６の判断が肯定される場合には、図１０に示すＳ７以下の処理が再び実行されるが、Ｓ２６の判断が否定される場合には、図９に示すＳ１以下の処理が再び実行される。
【００５０】
以上の制御において、Ｓ１が前記情報受信手段６６の動作に、Ｓ２、Ｓ７、Ｓ２１乃至Ｓ２３、Ｓ２６が前記情報受信有無判定手段６８の動作に、Ｓ３、Ｓ１０、Ｓ１１、及びＳ１６が前記報知部選択手段７０の動作に、Ｓ２０及びＳ２４が前記受信情報表示手段７２の動作にそれぞれ対応する。
【００５１】
このように、本実施例によれば、画像を表示させる表示部としての表示装置５４と、受信装置としての前記画像表示装置１２に対する利用者の相対位置を検知するユーザ位置検知部３６と、発光による報知を行う第１の報知部としての光報知部３８と、音声出力による報知を行う第２の報知部としての音声報知部４０と、所定の物質の放出又は前記画像表示装置１２の物理的な変形による報知を行う第３の報知部としての放出／変形アクチュエータ４２と、予め定められた関係から前記ユーザ位置検知部３６による検知結果に基づいて、前記通信対象から情報の受信があった旨を報知する報知部として、前記光報知部３８、音声報知部４０、及び放出／変形アクチュエータ４２のうち少なくとも１つを選択する選択部に対応する報知部選択手段７０（Ｓ３、Ｓ１０、Ｓ１１、及びＳ１６）とを、備えたものであることから、前記画像表示装置１２に対する利用者の相対位置に応じて最適な報知形態を適宜選択することができる。すなわち、着信情報の有無を利用者にわかり易く報知する画像表示装置１２を提供することができる。
【００５２】
また、前記表示装置５４は、その画面に対して利用者が視認可能な角度の範囲である表示視野角を有するものであり、前記ユーザ位置検知部３６は、前記表示装置５４の表示視野角内における利用者の存在を検知するものであり、前記報知部選択手段７０は、前記ユーザ位置検知部３６により前記表示装置５４の表示視野角内に利用者の存在が検知された場合には、前記光報知部３８及び音声報知部４０の少なくとも一方を選択するものであるため、前記表示装置５４の表示視野角内に利用者が存在する場合に、発光又は音声出力により着信情報の有無をわかり易く報知することができる。
【００５３】
また、前記ユーザ位置検知部３６は、前記表示装置５４の表示視野角外における利用者の存在を検知するものであり、前記報知部選択手段７０は、前記ユーザ位置検知部３６により前記表示装置５４の表示視野角外に利用者の存在が検知された場合には、前記音声報知部４０を選択するものであるため、前記表示装置５４の表示視野角外に利用者が存在する場合に、音声出力により着信情報の有無をわかり易く報知することができる。
【００５４】
また、前記報知部選択手段７０は、前記音声報知部４０による報知が開始されてから所定時間が経過し且つ所定の操作が行われない場合には、その音声報知部４０による報知を停止して前記放出／変形アクチュエータ４２による報知を開始するものであるため、音声出力による報知が無駄に継続されるのを抑制して、報知が行われたことを後に確認できる報知形態に切り替えることができる。
【００５５】
また、前記報知部選択手段７０は、前記ユーザ位置検知部３６により利用者の存在が検知されない場合には、前記放出／変形アクチュエータ４２を選択するものであるため、報知が行われたことを後に確認できる報知形態である物質の放出又は物理的な変形を選択することで、利用者の不在時に無駄な報知が継続されるのを抑制することができる。
【００５６】
また、前記放出／変形アクチュエータ４２に係る前記画像表示装置１２の物理的な変形は、前記表示装置５４の表示視野角外から視覚的に確認できるものであるため、その表示装置５４における表示では視認できない範囲からも着信情報の有無を確認することができる。
【００５７】
また、前記放出／変形アクチュエータ４２に係る物質の放出は、利用者が視覚又は嗅覚により確認できるものであるため、前記画像表示装置１２から所定の物体が飛び出したり、匂いが出る等の直感的にわかり易い態様で着信情報の有無を報知することができる。
【００５８】
また、前記放出／変形アクチュエータ４２による変形又は放出は、所定の操作により変形前又は放出前の状態に復元可能とされたものであり、その操作による復元が行われた場合には、その復元に係る報知に対応する情報を前記表示装置５４に選択可能に表示させるアプリケーションを起動する起動部に対応する受信情報表示手段７２（Ｓ２０及びＳ２４）を備えたものであるため、物質の放出又は物理的な変形が復元された場合に、その報知に係る情報を自動的に閲覧可能に表示させることができる。
【００５９】
また、本実施例の受信プログラムによれば、前記画像表示装置１２における制御装置としての制御部２４を、予め定められた関係から前記ユーザ位置検知部３６による検知結果に基づいて、前記通信対象から情報の受信があった旨を報知する報知部として、前記光報知部３８、音声報知部４０、及び放出／変形アクチュエータ４２のうち少なくとも１つを選択する報知部選択手段７０として機能させるものであることから、前記画像表示装置１２に対する利用者の相対位置に応じて最適な報知形態を適宜選択することができる。すなわち、着信情報の有無を利用者にわかり易く報知する受信プログラムを提供することができる。
【００６０】
以上、本発明の好適な実施例を図面に基づいて詳細に説明したが、本発明はこれに限定されるものではなく、更に別の態様においても実施される。
【００６１】
例えば、前述の実施例では、前記通信回線２０を介して画像情報及び電子メール等の情報の受信、乃至前記通話部３２による他の機器との通話が可能な画像表示装置１２に本発明が適用された例を説明したが、本発明はこれに限定されるものではなく、図１を用いて前述した電話機１４、ファクシミリ装置１６、或いはパーソナルコンピュータ１８等の他の受信装置にも本発明は好適に適用される。また、インターフォンの訪問等を受信する室内通信網における受信装置に本発明が適用されてもよい。すなわち、本発明は、通信対象から所定の通信回線を介して伝送される情報を受信する受信装置に広く適用され得るものである。
【００６２】
また、前述の実施例において、前記情報受信手段６６、情報受信有無判定手段６８、報知部選択手段７０、及び受信情報表示手段７２は、何れも前記制御部２４に機能的に備えられたものであったが、その一部乃至全部が同等の機能を奏する個別の制御部として前記制御部２４とは別体に備えられたものであってもよい。また、前記画像表示装置１２においては、前記タッチパネルディスプレイ２２の表示制御乃至入力情報処理を行う表示制御部５８及び入力制御部６０が前記制御部２４とは別体の制御部として備えられたものであったが、これらはその一方乃至両方が前記制御部２４に機能的に備えられたものであってもよい。
【００６３】
また、前述の実施例において、前記音声報知部４０は、前記制御部２４とは別体の装置として備えられたものであったが、前記制御部２４によりソフトウェア的に所定の音声を出力させる構成も考えられる。また、前記放出／変形アクチュエータ４２により駆動されるフラッグ６２は、前記復元ボタン６４が押下されることにより元の位置に戻されるものであったが、例えば前記フラッグ６２自体を手動で元の位置に戻す態様も考えられる。
【００６４】
また、前述の実施例において、第３の報知部としての前記放出／変形アクチュエータ４２は、単一の前記フラッグ６２を前記画像表示装置１２の頂部に立てるものであったが、例えば複数本のフラッグを選択的に立て得る構成とし、通信対象からの情報の受信パターン（例えば、送信元のアドレスの分類フォルダ）等に基づいて所定のフラッグを立てるようにしてもよい。すなわち、第３の報知部として変形箇所を複数設けたり、複数の形に変形する等の態様も考えられる。更に、第１の報知部としての前記光報知部３８による報知に関して、通信対象からの情報の受信パターンに応じて発光パターン（例えば、発光の時間間隔や光の色）を変える等の制御を行うものであってもよい。
【００６５】
その他、一々例示はしないが、本発明はその趣旨を逸脱しない範囲内において種々の変更が加えられて実施されるものである。
【符号の説明】
【００６６】
１２：画像表示装置（受信装置）
２０：通信回線
２４：制御部（制御装置）
３６：ユーザ位置検知部
３８：光報知部（第１の報知部）
４０：音声報知部（第２の報知部）
４２：放出／変形アクチュエータ（第３の報知部）
５４：表示装置（表示部）
７０：報知部選択手段（選択部）
７２：受信情報表示手段（起動部）
【図１】
2011135344.tif 000003
【図２】
2011135344.tif 000004
【図３】
2011135344.tif 000005
【図４】
2011135344.tif 000006
【図５】
2011135344.tif 000007
【図６】
2011135344.tif 000008
【図７】
2011135344.tif 000009
【図８】
2011135344.tif 000010
【図９】
2011135344.tif 000011
【図１０】
2011135344.tif 000012
【図１１】
2011135344.tif 000013